(57)【要約】補助貯蔵部（１８）に囲まれる原色用の主貯蔵部（１６）及び入口電極（１３）を有する画素に、粒子を主表示領域及び階調選択用の他の電極（１４，２６，２７）に移動させる電気泳動ディスプレイで色選択及び階調値が得られる。
2005501296.tif 000002
【特許請求の範囲】
【請求項１】
主貯蔵部に電気泳動媒体を伴ない少なくとも１つの電極を有する画素であって、前記画素を異なる光学状態に至らせることができる手段を有する前記画素を少なくとも有する電気泳動表示装置であって、前記画素に、少なくとも１つの補助貯蔵部及び少なくとも１つの他の電極、並びに電気泳動粒子を電気電圧によって前記補助貯蔵部から前記主貯蔵部に移動するための駆動手段が備えられる電気泳動表示装置。
【請求項２】
前記画素は、補助貯蔵部を前記主貯蔵部から離す又は前記補助貯蔵部を互いに離す目的で、電極と前記電極に電圧を印加するための手段とを有する請求項１に記載の電気泳動表示装置。
【請求項３】
前記電気泳動表示装置を横に見て、１つ以上の画素のエッジの少なくとも一部が、少なくとも主貯蔵部及び補助貯蔵部を囲む壁に一致する請求項１に記載の電気泳動表示装置。
【請求項４】
前記表示装置が、前記選択前に、画素を規定された状態に至らせるための手段を有する請求項１に記載の電気泳動表示装置。
【請求項５】
前記主貯蔵部は少なくとも１本の他の電極を有し、前記駆動手段が電気電圧を通じて中間の光学状態を実現する請求項１に記載の電気泳動表示装置。
【請求項６】
前記表示装置の主面を横切る方向から見て、前記画素は前記主貯蔵部の少なくとも２つの側に沿う補助貯蔵部を有する請求項５に記載の電気泳動表示装置。
【請求項７】
マルチカラーディスプレイに対して、電気泳動粒子を補助貯蔵部から前記主貯蔵部に選択的に移動させるための手段が備えられる請求項５に記載の電気泳動表示装置。
【請求項８】
前記補助貯蔵部が、異なる移動度を有する電気泳動粒子に対して共通である請求項７に記載の電気泳動表示装置。
【請求項９】
前記補助貯蔵部は、並置された２つの画素に共通である請求項７に記載の電気泳動表示装置。
【請求項１０】
前記電気泳動粒子を固定するための手段を有する請求項５に記載の電気泳動表示装置。
【請求項１１】
前記主貯蔵部と補助貯蔵部との間の前記電気泳動粒子の移動の方向を横切る電界を発生するための手段が備えられた請求項１０に記載の電気泳動表示装置。
【請求項１２】
前記電気泳動粒子及び前記主貯蔵部の少なくとも壁が、相互粘着の機能を有する請求項１０に記載の電気泳動表示装置。
【請求項１３】
前記電気泳動粒子の少なくとも一部に対して前記主貯蔵部と補助貯蔵部との間の前記電気泳動粒子の移動を妨げるための手段が備えられた請求項５に記載の電気泳動表示装置。
【請求項１４】
前記主貯蔵部と補助貯蔵部との間の前記電気泳動粒子の移動の方向を横切る電界を発生するための手段が備えられた請求項１３に記載の電気泳動表示装置。
【請求項１５】
前記主貯蔵部と前記補助貯蔵部との間に障壁が備えられた請求項１４に記載の電気泳動表示装置。
【請求項１６】
マルチカラーディスプレイに対して、電気泳動粒子が前記補助貯蔵部から前記主貯蔵部に選択的に移動できる請求項１３に記載の電気泳動表示装置。
【請求項１７】
前記画素の主面を横切る方向から見て、前記補助貯蔵部が前記主貯蔵部の後ろに位置している請求項５に記載の電気泳動表示装置。
【発明の詳細な説明】
【技術分野】
【０００１】
主貯蔵部に電気泳動媒体を伴ない少なくとも１つの電極を有する画素であって、上記画素を異なる光学状態に至らせることができる手段を有する画素を少なくとも有する電気泳動表示装置に関する。
ここで、（スイッチング）電極がこの出願に言及されており、もし望むのであれば、外部から又はスイッチング素子を通じて同一の電圧が供給される複数のサブ電極に分割することができる。
【背景技術】
【０００２】
電気泳動表示装置は、異なる光透過率又は光反射率を有する２つの極状態の間での、帯電し通常は着色した粒子の電界の影響下での動きに基づく。これらの装置を用いて、暗い（着色）キャラクタを光の（着色）背景に表示すること、及びその反転状態を表示することができる。
【０００３】
従って、電気泳動表示装置は、紙の機能を引き継ぐ表示装置（「ペーパホワイト」アプリケーション（電子新聞、電子日記）と呼ばれる）に特に使用される。
【０００４】
２つのスイッチング電極の間に電気泳動媒体を有する既知の電気泳動表示装置では、スイッチング電極に駆動電圧が供給される。この場合、画素は２つの極端な光学状態だけに至ることができる。スイッチング電極の一方は、例えば、表示素子の上側に相互に相互接続された２つの細い導体帯状部として実現される。下部電極（表示素子の全下面を覆っている）に対してこのスイッチング電極に印加される正電圧の場合、粒子（この例では負に帯電している）は、相互接続された２つの細い導体帯状部によって規定される電位面に向かって移動する。（負に）帯電した粒子は、帯電粒子の色を呈する表示素子（画素）の前面に渡って広がる。下部電極に対してスイッチング電極に印加される負電圧の場合、（負に）帯電した粒子は、表示素子（画素）が液体の色を呈するように下部面に広がる。
【発明の開示】
【発明が解決しようとする課題】
【０００５】
実際問題として、中間の光学的状態（階調値（grey scale）と呼ばれる）を表示する必要性が絶えず増加している。階調値を導入する既知の方法は、一般的に不十分である。例えば、電気泳動表示装置は低速であるので時間的に重み付けされた駆動期間（時間比階調）に階調値を導入できない。画素の異なる面の分割（面積比階調）は、相互クロストークを防止するために一般的に異なるサブ画素の間に障壁を必要とする。
【０００６】
更に、マルチカラー表示装置では、駆動のために必要とされる電極の数が非常に増加している。
【発明が解決しようとする手段】
【０００７】
本発明はこの問題を解決することを考えている。本発明による電気泳動カラー表示装置では、階調値（中間の光学状態）は、画素に、少なくとも１つの補助貯蔵部及び少なくとも１つの他の電極、並びに電気泳動粒子を電気電圧によって補助貯蔵部から主貯蔵部に移動するための駆動手段を備えることによって得られる。
【０００８】
本発明は、（負に）帯電した粒子が可視面の一部にのみ移動するように、表示セル内の電界が電極及びおそらく他の電極の電気電圧によって影響を受け、更に（異なる色の電気泳動粒子を伴なう）１つ以上の補助貯蔵部からの供給が、電極及び他の電極を利用して発生する電界によって影響を受けるという認識に基づいている。電極及び他の電極に印加される電気電圧に依存して、より多くの量又はより少ない量の粒子が表面に移動し、異なる中間光学状態（階調値）が得られる。
【０００９】
カラー表示装置は、例えば、カラーフィルタを備えることができるが、その代わりに、画素は、複数のタイプの電気泳動粒子又は（異なる色の電気泳動粒子を伴なう）補助貯蔵部を有することができる。
【００１０】
本発明は、更に、他の電極上の適切なパルスパターンを介して異なる移動度を伴なう異なる色の電気泳動粒子を使用するとき、各合成色に対して異なる中間光学状態が得られるという認識に基づいている。
【００１１】
調整の変化の場合に２つの電極間の面上での満足な分布を得るために、例えば、必要であれば小さな交番電界成分と協働して、選択前に画素を（例えば、リセットパルスを与えることによって）規定された状態に至らせることにより、帯電した粒子を予め他の電極に渡って均一に拡散させることが好ましい。
【００１２】
第１の実施例では、上記表示装置の主面を横切る方向から見て、上記画素は上記主貯蔵部の少なくとも２つの側に沿う補助貯蔵部を有する。補助貯蔵部は複数の（行の）画素に対して共通であるので、大きな開口が得られる。
【００１３】
マルチカラーディスプレイ用の表示装置では、異なる色の電気泳動粒子は、例えば、異なる移動度の電気泳動粒子が使用されるとき、例えば補助貯蔵部から主貯蔵部に選択的に移動することができる。
【００１４】
電気泳動粒子を固定することも望まれる。従って、他の実施例では、電気泳動表示装置は、上記主貯蔵部と補助貯蔵部との間の上記電気泳動粒子の移動の方向を横切る電界を発生するための手段が備えられる。あるいは、主貯蔵部と補助貯蔵部との間に機械的な分離部が備えられてもよい。
【００１５】
調整された階調値を固定するために、上記電気泳動粒子及び上記主貯蔵部の少なくとも壁が相互粘着の機能を有することができる。
【００１６】
本発明のこれら及び他の態様は、以下に記載された実施例から明らかであり、この実施例を基準にして説明される。
【発明の実施の形態】
【００１７】
図１は、本発明が適用可能なカラー表示装置１の一部の電気的等価図である。この装置は、行電極又は選択電極７と列電極又はデータ電極６との交差部分の領域に画素１０のマトリックスを有する。行電極１乃至ｍは行ドライバ４によって連続的に選択され、一方、列電極１乃至ｎにはデータレジスタ５を通じてデータが供給される。この例では列１，４，７，．．．，ｎ−２の画素は赤の画素を構成し、列２，５，８，．．．，ｎ−１の画素は青の画素を構成し、列３，６，９，．．．，ｎの画素は緑の画素を構成する。このために、入力データ２は、必要に応じて、最初にプロセッサ３で処理される。行ドライバ４とデータレジスタ５との間の相互同期は、駆動ライン８を通じて行われる。
【００１８】
行ドライバ４及びデータレジスタ５からの駆動信号は画素１０を選択する（パッシブ駆動と呼ばれる）。既知のデバイスでは、列電極６は、行電極７に対し、交差部分の領域における画素が２つの極状態のうちの１つ（例えば、液体及び電気泳動粒子の色に依存して、黒又は着色）であるような電圧を受け取る。
【００１９】
望むのであれば、行ドライバ４からの駆動信号は、ゲート電極が行電極７に電気的に接続されソース電極が列電極６に電気的に接続された薄膜トランジスタ（ＴＦＴ）９を通じて画像電極を選択することができる（アクティブ駆動と呼ばれる）。列電極６における信号はＴＦＴを通じて、そのドレイン電極に結合される画素１０の画像電極に伝達される。他の画素１０の画像電極は、例えば１つ（又は１つ以上）の共通の対極電極によって例えば接地される。図１の例では、斯かるＴＦＴ９が１つの画素１０のみに対して概略的に示されている。
【００２０】
本発明による第１のカラー表示装置では、各画素は、以下に記載されるような１つ以上の他の電極、及び他の電極に電気電圧を供給するための他の駆動手段が備えられる。列電極６はデータ電極として示され、行電極７は選択電極として示されているが、これら電極は、後述するように駆動期間の一部の間に異なる機能を果たすこと、例えば電気泳動粒子を移動させることができる。この目的のために、駆動手段は、例えば、データレジスタ５（多分、ドライバの一部）に、別の記憶手段又は他の電子装置及び別の列電極（図示せず）（及び、アクティブ駆動の場合、特別のＴＦＴ）を有する。
【００２１】
画素１０（図２、３）は、例えば、スイッチング電極１２、１３、１４が備えられたガラス又は合成材料の第１の基板１１と第２の透明基板１５を有する。本発明によれば、画素は、電気泳動媒体（例えば白い液体１７）で満たされる主貯蔵部１６と、この例では着色し正に帯電した電気泳動粒子（例えば、赤、緑、青、及び必要であれば黒の粒子）が存在する電気泳動液用の（この例では）４つの補助貯蔵部１８とを有する（図２、３には、補助貯蔵部が１８Ｒ、１８Ｇ、１８Ｂ、１８Ｚで示されている）。画素１０は例えば壁１９で閉じられ、一方、補助貯蔵部１８は必要であれば矢印２０で示される視野側がブラックマスク２１で覆われる。
【００２２】
図１、２、３の装置の全駆動サイクルは、多数のステップを有する。第１のステップでは、主貯蔵部に存在している多分着色し（又は黒）正に帯電した電気泳動粒子２２（例えば、前の駆動サイクルのため）が、電極１２と１３との間のリセット電圧によってこの貯蔵部から除かれる。このリセット電圧は、（この例では）電極１３に向かう電界を発生する。粒子は異なる色を有するだけでなく、移動度の差を有する。例えば、赤の粒子は電界中を緑の粒子よりも素早く移動し、次に緑の粒子は青の粒子よりも素早く移動する。
【００２３】
リセットステップを実行するために、必要に応じて、全ての粒子が電極１４（この電極は例えば０の電位を有し、一方、電極１３は＋Ｖの電位を有する）の近くに存在する状況が作られる。画素は実質的に白の様相を有する。
【００２４】
続いて、補助貯蔵部１８Ｒに対応付けられる電極１３が−Ｖの振幅を有する負のパルス（矩形波電圧）を受け取る。このパルスは、全ての赤の粒子２２Ｒをこの電極に向かって移動させるのに十分長く続く。同時に又は続いて、補助貯蔵部１８Ｒに対応付けられる電極１２に、電極１３に対し負の電圧を与えることによって、赤の粒子２２Ｒの全てが補助貯蔵部１８Ｒに貯蔵される。
【００２５】
一方、緑の粒子２２Ｇは、例えば電極１４と１３との間の距離の半分を覆う。補助貯蔵部１８Ｇに対応付けられる電極１３に供給される２倍の負のパルス（矩形波電圧）、及び他方の電極１３においておそらく正の電圧を使うと、これらの粒子は補助貯蔵部１８Ｇに対応付けられる電極１３に到達する。続いて補助貯蔵部１８Ｇに対応付けられる電極１２に、電極１に対して負の電圧を与えることによって、赤の粒子を基準にして上述したのと同じやり方で、緑の粒子２２Ｇの全てが補助貯蔵部１８Ｇに貯蔵される。同様に、青の粒子２２Ｂの全てが補助貯蔵部１８Ｂに貯蔵される（及び、もし存在するのであれば、黒い粒子２２Ｚが補助貯蔵部１８Ｚに貯蔵される）。上記のことから、（移動度）特性に関する限り実質的に重複しないという必要条件が粒子２２に課せられることも明らかである。続いて、正のパルス（例えば、矩形波電圧）が、電極１４と補助貯蔵部１８のうちの１つ（例えば、補助貯蔵部１８Ｒ）に対応付けられる電極１２との間に与えられる。パルスの期間及び値に依存して、多数の赤の粒子２２Ｒが、主貯蔵部に渡って広がる。これによって画素１０での赤色の階調値が規定される。他の色に対して、階調値は、赤色の階調の決定に続いて又はその決定と同時に規定することができる。
【００２６】
階調値の調整は、異なる補助貯蔵部１８に対応付けられる電極１２、１３の間の電圧パルスのみによっても可能である。その場合、望むのであれば、電極１４は省略することができるが、階調は順にしか規定することができない。
【００２７】
例えば液体中の運動によって、粒子は必ずしも基板上に位置付けられたままではないので、小さな粘着力を有する粘着層を備えることが有利である。
【００２８】
必要であれば、このように調整される階調値は、基板を横切る方向の磁界又は電界によって固定することもできる。
【００２９】
実際問題として、異なる補助貯蔵部１８を単色の粒子で満たすことは難しいかもしれない。解決策は、共通の補助貯蔵部（例えば、図２の補助貯蔵部１８Ｚ）の使用である。リセットステップを実行するために、補助貯蔵部１８Ｚに対応付けられる電極１２は負のパルス（例えば、−Ｖの振幅を有する矩形波電圧）を受け取る。このパルスは全ての粒子２２をこの電極に向かって移動させるのに十分長く続く。
【００３０】
粒子を共通補助貯蔵部から主貯蔵部（又は他の補助貯蔵部）に移すとき、先ず異なる色の粒子を離さなければならない。この目的のため、（例えば、他の粒子よりも高い電荷を有する）所与の粒子の流れを妨げる電位障壁を発生するために、必要であれば他の電極を備えることができる。斯かる２つ又は３つの直列の電位障壁によって、粒子を再び相互に分離することができる（例えば、リセットステップの一部の間に）。このステップは全ての画素に対して同じであるので、電位障壁を発生するための電極は複数（又は全て）の画素に対して共同で備えることができる。異なる色の粒子を相互に分離する別の可能性は、例えば、異なる大きさの着色粒子との協働による物理的障壁（例えば、フィルタ）又はある色の粒子が共同補助貯蔵部からより簡単に（又は、対照的に、より困難に）離れるような表面改質（粘着力の差）を備えることである。
【００３１】
図４は、共同補助貯蔵部１８、１８Ｒ、１８Ｇ、１８Ｂを伴なって並んだ２つの画素１０、１０’の平面図である。リセットステップの間、補助貯蔵部１８に対応付けられる電極１２は、全ての粒子２２がこの電極に向かって移動するように（電圧原２３によって）電極１４、１４に対し負のパルスを受け取る。続いて、補助貯蔵部１８Ｒ、１８Ｇ、１８Ｂに対応付けられる電極１３が、上記のように（電圧源２４によって）電極１２に対し負のパルスを受け取り、及び多分同時に又は続いて、電極１４における電圧が、電圧源２３によって電極１２における電圧に対し負の電圧である。従って、赤、緑及び青の粒子の全てが補助貯蔵部１８Ｒ、１８Ｇ、１８Ｂに貯蔵され、その後、階調値が、例えば電極１４、１４’と電極１２との間の電圧によって規定される。色選択（どの粒子が、どの補助貯蔵部１８Ｒ、１８Ｇ、１８Ｂに貯蔵されるかを決定すること）は、電位障壁を発生することによって、物理的障壁（例えばフィルタ）を備えること又は表面改質により異なる色の粒子を相互に離すことによって、行われる。共同補助貯蔵部１８、１８Ｒ、１８Ｇ、１８Ｂはブラックマスク２１で覆われる。
【００３２】
図５は本発明による画素の別の例の断面であり、補助貯蔵部１８、１８Ｒ、１８Ｇ、１８Ｂが、電極１２と他の入口電極２５との間の単一補助貯蔵部１８に置き換えられている。この例では、全ての粒子を電極１２に向けて移動させるリセットステップ（電極１２と１４との間に負の電圧）において動作が実行される。続いて、色選択が起き、ここにおいて異なる色の粒子は異なる移動度を有する。移動度及び入口電極２５における（負の）パルスのパルス期間及びパルス高さに依存して、ＵＳ６，０１７，５８４に記載されているように、一色の粒子、例えばまず赤の粒子が、電極２５に向かって移動する。
【００３３】
（調整されるべき階調値に依存した）電極１４、２５における電圧の適切な選択によって、必要な数の粒子が可視領域に向かって動く。
【００３４】
可視領域（主貯蔵部１６）の粒子の起こり得る余剰分は、必要であれば、電極１２と１３との間に電圧を印加することによって除去することができ、ここで電極１３及び１４は実質的に同じ電圧に保持される。続いて、これらのステップ（リセットステップを除く）は、他の２色に対して繰り返される。必要であれば電界によって最終的な調整をしてもよい。これは、（必要であれば、かなり広い部分又は表示装置全体に）例えば、電極３２及び電圧源３３によって提供するることができる。
【００３５】
図６は、物理的障壁３１を有する変形例の断面である。ここで、色選択は、電極１２、２５によって実現され、一方、階調値が電極１３、１４によって調整される。
【００３６】
プロセスは、図２に相当する平面図を用いて、及び図７に示すように入口電極２５によって示される表示セルを延在させることによって加速させることができる。全ての補助貯蔵部１８、１８Ｒ、１８Ｂ、１８Ｂは、赤、緑、青（及び多分、黒）の粒子を有する。しかしながら、色選択及び階調値の次の調整は、３つ（４つ）のタイプの粒子（色）に対して同時に起きることができる。符号は、先の例と同様の意味を有する。
【００３７】
図５、６、７に示される装置は、黄、シアン及びマゼンタの色（減色混合）に基づく表示装置にとりわけ特に適している。
【００３８】
図８は、本発明による他のカラー表示セルの断面である。補助貯蔵部１８は、ここでは主貯蔵部１６の下に位置しており、電気泳動媒体（例えば、（この例では着色し正に帯電した粒子であり、赤の粒子２２Ｒ、緑の粒子２２Ｇ及び青の粒子２２Ｂからなる）電気泳動粒子２２が存在する白い液体）で満たされる。この例で粒子は異なる色を有するだけでなく、移動度の差も有する。例えば、赤の粒子は電界中を緑の粒子よりも速く移動し、緑の粒子は青の粒子よりも速く移動する。
【００３９】
図８ａの状況では、全ての粒子は電極１２の近くに存在する（電極１２は０の電位を有し、一方、電極１３は＋Ｖの電位を有する）。従って、画素は、白い様相を呈する。図８ｂでは、電極１３は、赤の粒子２２Ｒの全てを電極１３に向けて移動させるのに十分長く続く振幅−Ｖの負のパルス（矩形波電圧）を受け取る。青の粒子２２Ｂは、例えば電極１２、１３の間の距離の半分を覆う。続いて電圧０（ゼロ），−Ｖを電極２７，２６（図８ｃ）に供給することによって、粒子２２Ｒは大部分が電極１６の方に移動し、赤に対して階調値が導入される。電極２７、２６における電圧に依存して、異なる階調に調整される。
【００４０】
斯かる３つの画素を有する表示装置では、−Ｖの振幅の負のパルス（矩形波電圧）は、赤の粒子の約半分である青の粒子の移動度において青色に望まれる場合の２倍の期間、印加される。赤の粒子及び青の粒子の全てが電極１３の位置に配される。続いて、電極１３は、赤の粒子２２Ｒの全てが電極１３から離れるのに十分長く続く＋Ｖの振幅の正のパルス（矩形波電圧）を受け取る。続いて電圧を電極２７、２６に供給することによって、青の粒子は電極２６、２７に向かって移動し階調値が再び導入される。同様のパルスパターンによって、青の画素に対して階調値を調整する可能性が提供される。補助貯蔵部は、複数の画素に共通とすることができる。
【００４１】
図９は、上記の原理に基づいて動作する画素の断面である。補助貯蔵部１８は、電極１２、１３の間に存在する。同様に、図８を基準にして記載したのと同様に、選択後の電極１４の位置に配される所与の色の粒子が選択される。電極２９における適切な負の電圧によって、粒子は主貯蔵部１６に導入される。例えば液体の動きにより、粒子は必ずしも基板上に位置付けられたままであるとは限らないので、基板１１に渡って粒子を均一に拡散させるような小さい粘着力を有する粘着層を備えることが有利である。基板１１に渡る粒子の均一な拡散は、特別な電極３０（それは、複数の画素に共通とすることができる）における小さい交流電圧によっても得ることができる。
【００４２】
続いて、階調値は、電極２６、２７における電気電圧（多分、電極３０における電圧と協働して）を通じて調整される。必要であれば、このように調整される階調値は、基板を横切る方向の磁界又は電界によって引き続き固定することができる。電極１３における電圧によって、異なる色の粒子が主貯蔵部１６に到達することが防止される。
【００４３】
図１０の装置では、後者は、例えば有機（ポリマー）又は無機（ガラスフリット）の材料の障壁３１によって達成される。電極１３は補助貯蔵部１８に存在する。符号は先の例と同じ意味を有する。図８、９の例では、必要に応じて、電極２９を省略してもよい。これは、所望の引き込み用電界を発生するように電極２６、２７、３０に異なる駆動パターンを必要とし、更に、電極２７、３０が画素の他方の側に備えられる。
【００４４】
図１１は、図８に相当するマルチカラー画素をどのようにして駆動することができるかを示す。実質的に赤の粒子２２Ｒの全てが、例えば、電極１３に向かってそれらが全て移動するのに十分長く続く振幅を有する負のパルス（矩形波電圧）によって移動した後、赤の粒子は、電極２６、２７における電圧Ｖ１、Ｖ２（Ｖ２はＶ２）Ｖ１）によって主に電極２７（図１１ａ参照）に向かって移動する。青の粒子２２Ｂは、移動度及び電極１３における電圧に依存して、電極１３の近く又はちょうど下に存在する。粒子の全てが電極１３に向かって移動した後、青の粒子２２Ｂが電圧Ｖ２、Ｖ１（Ｖ２＜Ｖ１）によって電極２６に向かって主に移動する。緑の粒子２２Ｇ（図１１ｂ参照）のみが、依然として補助貯蔵部に存在する。電極２６、２７における電圧Ｖ１、Ｖ２に依存して、基板１１が着色粒子２２で全面的に（図１１ｃ参照）又は完全に（図１１ｄ参照）で覆われる最終的な状況に到達する。もちろん最終的な色及び階調値も、電極２６、２７に対して使用される電圧及びパルス幅に依存する。
【００４５】
もちろん本発明は先に記載された例には限定されない。上の例は、サブ画素に対して赤、緑及び青の色が言及されており、一方で、既に述べたように、すばらしい結果が黄、シアン及びマゼンタの色でも得ることができ、更に、第４（例えば、黒）の素子を加えることができる。本発明は、２色（モノクロ、例えば白黒）の表示装置にも適用可能である。
【００４６】
補助貯蔵部が実際の画素に属していないので、補助貯蔵部は好ましくは不透明な（黒い）マスクで覆われる。１つの画素又は画素のグループのエッジは、好ましくは結合貯蔵部（カプセル）の壁１９と一致する。これは、貯蔵部（カプセル）間の完全な分離を実現するので、並置された画素の間のクロストークを防止する。
【００４７】
これらの可能性の１つ以上の組合せも実際に適用可能である。
【００４８】
本発明の保護範囲は、記載された実施例には限定されない。
【００４９】
本発明は、どの新規な特徴及びどの特徴の組み合わせにも存在する。動詞「有する」の使用及びその活用変化は、請求項に記載されている要素以外の要素の存在を排除しない。要素が単数であることは、斯かる要素の複数の存在を排除しない。
【図面の簡単な説明】
【００５０】
【図１】カラー表示装置１の一部の電気的等価図である。
【図２】本発明によるカラー表示装置の一部の概略平面図である。
【図３】図２のIII-IIIラインから見た断面である。
【図４】異なる階調値（中間の光学状態）が実現できる本発明による他の電気泳動カラー表示装置の一部の平面図である。
【図５】図４の変形例の断面図である。
【図６】図５の変形例である。
【図７】図５の変形例の平面図である。
【図８ａ】本発明によるカラー表示装置で異なる色が実現できる別の原理を示す。
【図８ｂ】本発明によるカラー表示装置で異なる色が実現できる別の原理を示す。
【図８ｃ】本発明によるカラー表示装置で異なる色が実現できる別の原理を示す。
【図９】
【図８】本発明によるカラー表示装置で異なる色が実現できる別の原理を示す。図８の原理を用いてカラー表示装置にどのようにして異なる階調値を実現することができるかの断面図である。
【図１０】図９の表示装置の変形例を示す。
【図１１ａ】本発明による別の電気泳動カラー表示装置を示す。
【図１１ｂ】本発明による別の電気泳動カラー表示装置を示す。
【図１１ｃ】本発明による別の電気泳動カラー表示装置を示す。
【図１１ｄ】本発明による別の電気泳動カラー表示装置を示す。
【国際公開パンフレット】
2005501296.tif 000003
2005501296.tif 000004
2005501296.tif 000005
2005501296.tif 000006
2005501296.tif 000007
2005501296.tif 000008
2005501296.tif 000009
2005501296.tif 000010
2005501296.tif 000011
2005501296.tif 000012
2005501296.tif 000013
2005501296.tif 000014
2005501296.tif 000015
2005501296.tif 000016
2005501296.tif 000017
2005501296.tif 000018
2005501296.tif 000019
2005501296.tif 000020
2005501296.tif 000021
【国際調査報告】
2005501296.tif 000022
2005501296.tif 000023